(57)【要約】【課題】排紙される用紙の排出情報を明確に表示することができる画像形成装置を提供する。【解決手段】装置本体１０１の上部位置に配置されたスキャナ部３と、装置本体の下部位置に配置された作像部１と、前記スキャナ部３と前記作像部１との間の装置本体１０１に設けられた空間である胴内排紙部４と、前記スキャナ部３の筐体内に設けられた原稿読み取り用光源３０２と、前記スキャナ部３の筐体の前記胴内排紙部側に設けられ前記原稿読み取り用光源３０２の光を透過する光透過部３０９とを有し、前記原稿読み取り用光源３０２からの光が前記光透過部３０９を透過し、用紙が排出された前記胴内排紙部４を照らす画像形成装置１００において、排出された用紙のサイズにより前記光透過部３０９に設けられた円盤型の光透過部材３１１によって前記胴内排紙部４を照らす光の色調を変更する。【選択図】      図８
2005017786.tif 000002
【特許請求の範囲】
【請求項１】
装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記原稿読み取り用光源の点灯パターンを変更することにより用紙に関する排出情報を提供することを特徴とする画像形成装置。
【請求項２】
装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記光透過手段によって前記胴内排紙部を照らす光の色調を変更することにより用紙に関する排出情報を提供することを特徴とする画像形成装置。
【請求項３】
装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記光透過手段を前記原稿読み取り用光源の原稿走査方向に並んで複数設け、前記原稿読み取り用光源からの光が前記胴内排紙部を照らす位置によって用紙に関する排出情報を提供することを特徴とする画像形成装置。
【請求項４】
前記光透過手段が、前記原稿読み取り部の筐体の底板に設けられた開口と、該開口を覆う光透過部材とから構成されることを特徴とする請求項１〜３のいずれかに記載の画像形成装置。
【請求項５】
画像形成装置本体に人の接近を検知する検知手段を設け、該検知手段が人の接近を検知した場合に、前記原稿読み取り用光源を点灯させることを特徴とする請求項１〜４のいずれかに記載の画像形成装置。
【請求項６】
画像形成装置本体に前記胴内排紙部の周囲の明るさを検知する検知手段を設け、該検知手段が所定以上の照度を検知したときは、前記原稿読み取り用光源を点灯させないことを特徴とする請求項１〜４のいずれかに記載の画像形成装置。
【請求項７】
画像形成装置が省電力モードに移行したときは、前記原稿読み取り用光源を点灯させないことを特徴とする請求項１〜６のいずれかに記載の画像形成装置。
【発明の詳細な説明】
【０００１】
【発明の属する技術分野】
本発明は、複写機、ファクシミリなどの画像形成装置に関し、さらに詳しく言えば、原稿読み取り部と作像部との間の装置本体に胴内排紙部となる空間を設けた画像形成装置に関するものである。
【０００２】
【従来の技術】
近年、ディジタル複写機において、原稿読み取り部と作像部の間に排紙空間を設け、コピー、ファクシミリ受信など記録紙が装置の内側に排出される胴内排紙型のものが普及している。こうした胴内排紙型複写機は、排紙トレイを装置側面に張り出したウィング型に比べて、省スペースの点で優れているが、内部に記録紙が排出されるため、ユーザに排出された記録を視認させにくいという問題もあった。
【０００３】
そこで、従来、原稿読み取り部の筐体の胴内排紙部側に光透過手段を設け、該光透過手段により原稿読み取り用光源からの光を胴内排紙部に導き、排出された紙（コピー動作やファクシミリ受信により記録された用紙）を照らし、胴内排紙部の視認性を向上させるようにしているものがある（特許文献１、２参照）。
【０００４】
【特許文献１】
特開平１１−１９４５６５号公報  （第３図参照）
【特許文献２】
特開２０００−７８３３０号公報  （第３図参照）
【０００５】
【発明が解決しようとする課題】
しかしながら、このような従来の画像形成装置では、胴内排紙部の視認性は向上するものの、排出された用紙を単に照らすのみなので、その用紙に関する排出情報（例えば、用紙サイズ、プリント指令を発したパーソナルコンピュータ、プリントジョブの進捗状況など）を明確に得ることは困難である。
【０００６】
本発明は、このような問題に鑑みてなされたものであり、胴内排紙部に排紙される用紙に関する排出情報を明確に表示することができる画像形成装置を提供することを目的とする。
【０００７】
【課題を解決するための手段】
上記目的を達成するために本発明は、装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記原稿読み取り用光源の点灯パターンを変更することにより用紙に関する排出情報を提供することを特徴とする。
【０００８】
或いは、装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記光透過手段によって前記胴内排紙部を照らす光の色調を変更することにより用紙に関する排出情報を提供することを特徴とする。
【０００９】
或いは、装置本体の上部位置に配置された原稿読み取り部と、装置本体の下部位置に配置された作像部と、前記原稿読み取り部と前記作像部との間の装置本体に設けられた空間である胴内排紙部と、前記原稿読み取り部の筐体内に設けられた原稿読み取り用光源と、前記原稿読み取り部の筐体の前記胴内排紙部側に設けられ前記原稿読み取り用光源の光を透過する光透過手段とを有し、前記原稿読み取り用光源からの光が前記光透過手段を透過し、用紙が排出された前記胴内排紙部を照らす画像形成装置において、前記光透過手段を前記原稿読み取り用光源の原稿走査方向に並んで複数設け、前記原稿読み取り用光源からの光が前記胴内排紙部を照らす位置によって用紙に関する排出情報を提供することを特徴とする。
【００１０】
なお、前記光透過手段は、前記原稿読み取り部の筐体の底板に設けられた開口と、該開口を覆う光透過部材とから構成されるものである。
【００１１】
また、画像形成装置本体に人の接近を検知する検知手段を設け、該検知手段が人の接近を検知した場合に、前記原稿読み取り用光源を点灯させることを特徴とする。或いは、画像形成装置本体に前記胴内排紙部の周囲の明るさを検知する検知手段を設け、該検知手段が所定以上の照度を検知したときは、前記原稿読み取り用光源を点灯させないことを特徴とする。
【００１２】
そして、画像形成装置が省電力モードに移行したときは、前記原稿読み取り用光源を点灯させないことを特徴とする。
【００１３】
【発明の実施の形態】
本発明の第１の実施形態を図面を参照して説明する。図１は、第１の実施形態に係る画像形成装置の一例を示す正面図である。画像形成装置１００は、その装置本体１０１と、装置本体１０１の上面にオプションとして装着された自動原稿給送装置（以下、ＡＤＦという。）１０２とで構成されている。この画像形成装置１００は、複写機、プリンタの機能とファクシミリの機能とを併せ持ち、また、読み取った原稿の画像情報（光信号）を電気信号に変換して作像を行う、いわゆるディジタル複合機である。
【００１４】
本体装置１０１は、そのほぼ中央部に作像部１が配置され、その下方に給紙部２が位置している。また、本体最上部には原稿読み取り部としてのスキャナ部３が配置されている。そして、そのスキャナ部３と作像部１との間の装置本体１０１には図２に示すように、空間が設けられ、この空間が胴内排紙部４として構成されている。
【００１５】
装置本体１０１において、作像部１は従来周知の電子写真方式によるプリントエンジンとして構成され、図示しないレーザ書き込み装置、電子写真プロセス手段、定着装置等を内蔵している。給紙部２は、２段の給紙カセット２１を有しており、作像部１に記録用紙を供給する。各カセット２１は装置手前側に引き出して用紙補給を行うフロントローディング・タイプであり、カセット前面の中央部に引き出し用の取っ手が設けられている。
【００１６】
上記スキャナ部３は、図２〜図４に示すように、その上面にコンタクトガラス３０１が配置され、その下方にスキャナユニットとして光源３０２及び第１ミラー３０３を搭載する走行体としての第１キャリッジ３０４と、ダハミラー３０５を搭載する第２キャリッジ３０６と、原稿光像を光電変換素子としてのＣＣＤ３０８に結像するレンズ３０７とを有している。上記第１キャリッジ３０４と第２キャリッジ３０６は、通常、図６に示すホームポジションに位置され、原稿の読み取りを開始すると、異なる速度で矢印方向に走向される。
【００１７】
胴内排紙部４、正面を除く三方の側面、すなわち図１における左右両側と装置奥側が壁面によって取り囲まれ、さらにスキャナ部３及び作像部１の筐体により上下を囲まれている。この胴内排紙部４には、その最下部に排紙トレイ４１が設けられ、排紙トレイ４１は作像部１の上面に形成または設置されたものである。図１において、左側の排紙部側壁４５内には用紙搬送路（図示せず）が設けられ、作像部１で記録が行われた用紙は、この側壁４５の高さ方向における中央や下の位置から排紙トレイ４１上に排出される。なお、側壁４５内の用紙搬送路の適宜位置に、用紙排出切換機構を設けてやれば、排紙トレイ４１の上部に複数の補助トレイを装着して用紙を排出することが可能となる。
【００１８】
ＡＤＦ１０２は、装置奥側に設けられたヒンジ（図示せず）により本体１０１の上部に装着され、スキャナ部３の上面のコンタクトガラス３０１を開閉及び閉鎖可能に覆うように設置されている。ＡＤＦ１０２の構成及び作用は従来周知のものと同様であるので詳しい説明を省略するが、その原稿台７１上にセットされた原稿束（図示せず）は、下側から１枚ずつコンタクトガラス３０１上に搬送され、スキャナ部３による読み取り操作が終了した原稿は、原稿排紙台７２上に排出される。自動給紙によらないコピーや、本又はノートなどのコピーのときは、ＡＤＦ１０２を圧板として用いることができる。なお、オプションであるＡＤＦ１０２を装着しない場合は、スキャナ部３の上面には、コンタクトガラス３０１上の原稿を押える圧板が装着される。
【００１９】
ここで、本実施形態の画像形成装置１００における複写動作について、ＡＤＦ１０２を圧板として使用する場合を例にとって簡単に説明する。ＡＤＦ１０２を開放し、スキャナ部３上面のコンタクトガラス３０１上に原稿を載置する。ＡＤＦ１０２を閉めた後、後述する操作部により複写枚数などを指定しスタートボタンを押下する。すると、スキャナユニットによる原稿の読み取りが開始され、読み取られた原稿の画像情報は光電変換によりディジタル化されて画像処理される。その処理された信号に基づいて作像部１で画像形成が行われ、本体給紙部２の給紙カセット２１から給送された用紙に顕画像（トナー像）が転写される。用紙上に転写されたトナー像は定着装置により定着され、胴内排紙部４の排紙トレイ４１上に排出される。なお、作像部１における電子写真方式による画像形成については周知であるので説明を省略する。
【００２０】
また、画像形成装置１００をファクシミリとして使用する場合は、ＡＤＦ１０２にセットした原稿をスキャナ部３で読み取って送信を行う。そして、受信した画像情報を記録する場合は、給紙部２から給送した用紙に作像部１で記録して排紙トレイ４１上に排出する。
【００２１】
排紙トレイ４１上の排紙された用紙は、胴内排紙型画像形成装置であるためにその正面側のみしか開放されていないので装置周囲から光が差し込みにくく、暗くて見えにくいという問題がある。
【００２２】
そこで、本実施形態では図２に示すように、光透過手段としてスキャナ部３の底板３１に形成した開口３１Ａを光透過部材３１０で覆った光透過部３０９を設けている。この場合、この光透過部材３１０としては透明若しくは半透明のプラスチック、ガラス等により形成されている。また、本実施形態の光透過部３０９は胴内排紙部４全域の視認性が向上するように、胴内排紙部４のほぼ中央に対応する位置に設けられている。
【００２３】
このように構成された画像形成装置１００は、スキャナ部３内に設けられている原稿読み取り用光源３０２を点灯すれば、該光源３０２からの光が光透過部３０９を介して胴内排紙部４を照らし、該胴内排紙部４に排紙されたコピー動作やファクシミリの受信により記録された用紙を容易に視認することができる。かくして、原稿読み取り用光源３０２を利用して胴内排紙部４の視認性を向上することが可能である。
【００２４】
ところで、原稿読み取り用光源３０２は図６に示す図の左端がホームポジションであって、その本来の役目である原稿を露光走査するとき、該位置より右方へ移動走査する。したがって、原稿読み取り用光源３０２は通常そのホームポジションに位置されている。上記のように、この原稿読み取り用光源３０２を利用して胴内排紙部４を照らすとき、ホームポジションに光透過部３０９を設けて、原稿読み取り用光源３０２をホームポジションで点灯しても胴内排紙部４全域を良好に照らすことが難しい。
【００２５】
そこで、本実施形態では一枚若しくは一連のコピー等が終了して胴内排紙部４に用紙Ｐが排出されると、図５に示すように原稿読み取り用光源３０２を、ほぼ中央の光透過部３０９の近傍まで移動させて点灯させる。このようにすれば、胴内排紙部４全域を良好に照らすことができるとともに、このときコピー動作やファクシミリ読み取り動作において画像読み取り動作は既に終了しているので、原稿読み取り用光源３０２の移動が読み取り動作に支障をきたすことはない。
【００２６】
この場合、単に原稿読み取り用光源３０２を点灯させるだけであると、ユーザは胴内排紙部４に排出された用紙Ｐのサイズを視認することは難しい。
【００２７】
そこで、本実施形態ではさらに、用紙ＰがＡ４用紙の場合は原稿読み取り用光源３０２を点滅させたり、Ｂ５用紙の場合は常時点灯させたりして、用紙サイズによって点灯パターンを変更する。このようにすれば、コピー時或いはファクシミリ受信時に、ユーザに排出された用紙のサイズを示すこともできるようになり、使い勝手がよくなる。
【００２８】
なお、ディジタル複合機である画像形成装置１００を、ネットワークプリンタとして使用する場合は、図７に示すように、複数台のパーソナルコンピュータＰＣ１〜ＰＣｎがＬＡＮ回線を介して画像形成装置１００に接続される。そして、各パーソナルコンピュータＰＣ１〜ＰＣｎにインストールされたプリンタドライバを使用してプリントを行う。パーソナルコンピュータＰＣ１〜ＰＣｎからプリントの指令が出されると、画像形成装置１００は、指令ごとにジョブを記憶する。
【００２９】
本実施形態では一回のジョブが終了して胴内排紙部４に用紙Ｐが排出されると、図５に示すように原稿読み取り用光源３０２を、ほぼ中央の光透過部３０９の近傍まで移動させて点灯させる。これにより、胴内排紙部４全域を良好に照らすことができる。
【００３０】
この場合、単に原稿読み取り用光源３０２を点灯させるだけであると、ユーザはどのパーソナルコンピュータからのプリント指令に基づいてジョブが終了したものであるか視認することは難しい。
【００３１】
そこで、本実施形態ではさらに、ジョブ終了がパーソナルコンピュータＰＣ１からのプリント指令による場合は点滅させたり、パーソナルコンピュータＰＣ２の場合は常時点灯させたりして、ネットワーク上のパーソナルコンピュータごとにジョブ終了時の点灯パターンを変更する。このようにすれば、プリント時に、ユーザにプリント指令を発したパーソナルコンピュータを特定させることもできるようになり、使い勝手がよくなる。さらに、ジョブ終了時のみならず、ジョブの進捗状況に応じて、ジョブ受付時は短い間隔で点滅、ジョブ実行中は点灯というように、胴内排紙部４を照らすようにしてもよい。
【００３２】
この原稿読み取り用光源３０２の点灯は、所定の時間が経過すると消灯させることが不必要な電力の消費を防ぐことからも好ましい。そして、この一定時間の設定は装置操作部から任意に設定できるようにすることも可能である。
【００３３】
また、このスキャナ部３の第１のキャリッジ３０４の移動制御と原稿読み取り用光源３０２の点灯、消灯制御は胴内排紙部４の排紙トレイ４１に排紙された用紙の有無を検出するセンサを設け、制御してもよく、このとき、胴内排紙部４の紙の有無による原稿読み取り用光源３０２の効果的な点灯が可能であるから、省電力化が図られる。さらに、コピーやファクシミリの作像系が一連の動作を終了し、排紙トレイ４１へ用紙があるときは、当然画像読み取り動作も終了しているので、胴内排紙部４の視認性向上、すなわち胴内排紙部４を照らすことができる。
【００３４】
さらに、胴内排紙部４の明るさを検出するセンサを設け、環境照度により、胴内排紙部４が充分に明るい場合は、不必要な電力消費を抑えるため、胴内排紙部４の照明を行わないようにしてもよい。またさらに、画像形成装置１００がスリープモードやオートシャットオフモードなどの省エネモードに移行したときは、省エネを優先させるため、排紙部の照明を行わないようにするとよい。ただし、この場合であっても、プリンタ出力時に個人情報やジョブ進捗状況を示す場合は、遠くからでも視認できるように、胴内排紙部４の照明を行う。
【００３５】
また、上記実施形態では原稿読み取り用光源３０２が用紙Ｐを排紙後、一定時間点灯してから消灯するように構成している。よって、用紙Ｐが排紙されたことに気づかず、一定時間経過して原稿読み取り用光源３０２が消灯されてしまうと、その後用紙を取り出すとき等の視認性に問題が生ずる。
【００３６】
そこで、画像形成装置１００の前に人がいることを検知するセンサ、若しくは胴内胴内排紙部４内に手が入れられたことを検出するセンサを設けることにより、排出直後（または一定時間内）でなくても、ユーザが排出紙を取ろうとするときは、任意に胴内排紙部４を照らすことを可能とすることができる。
【００３７】
次に、本発明の第２の実施形態について説明する。図８は、第２の実施形態に係る画像形成装置の斜視図である。図９は、そのスキャナ部及び排紙部を示す正面断面説明図である。これらの図において、上記第１の実施形態と共通の部材には同一の符号を付しその詳細な説明を省略する。
【００３８】
本実施形態では図８、図９に示すように、光透過手段としてスキャナ部３の底板３１に形成した開口３１Ａを円盤型の光透過部材３１１で覆った光透過部３０９を設けている。この場合、この光透過部材３１１は、透明若しくは半透明のプラスチック、ガラス等により形成された中心角１２０°の扇形の光透過片３１１Ｒ，３１１Ｇ，３１１Ｂを円盤型に貼り合せて合体したものであり、各扇形の部分が互いに色分けされるように光透過片３１１Ｒ，３１１Ｇ，３１１Ｂはそれぞれ赤、緑、青色の材料を用いて作られている。光透過部材３１１の円盤の中心には、回転軸３１２が設けられ、この回転軸３１２により光透過部材３１１は底板３１に対して回転可能に取り付けられている。
【００３９】
また、本実施形態の開口３１Ａは胴内排紙部４全域の視認性が向上するように、胴内排紙部４のほぼ中央に対応する位置に設けられている。開口３１Ａは、底板３１に回転可能に取り付けられた円盤型の光透過部材３１１に覆われているが、このとき、開口３１Ａの上には色調の異なる３つの扇形の光透過片３１１Ｒ，３１１Ｇ，３１１Ｂのいずれかが位置している。光透過部材３１１は、図８中の矢印のように、時計回りに中心角１２０°刻みで回転可能になっている。
【００４０】
このように構成された画像形成装置１００は、スキャナ部の底板３１に開口３１Ａを光透過部材３１１で覆った光透過部３０９を設けたので、スキャナ部３内に設けられている原稿読み取り用光源３０２を点灯すれば、該光源３０２からの光が光透過部３０９を介して、すなわち開口３１Ａ上の光透過片３１１Ｒ，３１１Ｇ，３１１Ｂのいずれか一つを通過して、胴内排紙部４を色分けした形で照らし、該胴内排紙部４に排紙されたコピー動作やファクシミリの受信により記録された用紙を容易に視認することができる。かくして、原稿読み取り用光源３０２を利用して胴内排紙部４の視認性を向上することが可能である。
【００４１】
この場合、胴内排紙部４を単一の色調で照らすだけだと、ユーザは胴内排紙部４に排出された用紙Ｐのサイズを視認することは難しい。
【００４２】
そこで、本実施形態ではさらに、光透過部材３１１を回転させることにより、用紙ＰがＡ４用紙の場合は原稿読み取り用光源３０２からの光を光透過片３１１Ｒに通過させて赤色の光で照らしたりたり、Ｂ４用紙の場合は光透過片３１１Ｇに通過させて緑色の光で照らしたりたり、Ｂ５用紙の場合は光透過片３１１Ｂに通過させて青色の光で照らしたりすることにより、用紙サイズによって胴内排紙部４を照らす色調を変更する。このようにすれば、コピー時或いはファクシミリ受信時に、ユーザに排出された用紙のサイズを示すこともできるようになり、使い勝手がよくなる。
【００４３】
なお、画像形成装置１００をネットワークプリンタとして使用する場合は、ネットワーク上のパーソナルコンピュータごとにジョブ終了時に胴内排紙部４を照らす色調を変更する。このようにすれば、プリント時に、ユーザにプリント指令を発したパーソナルコンピュータを特定させることもできるようになり、使い勝手がよくなる。
【００４４】
次に、本発明の第３の実施形態について説明する。図１０は、第２の実施形態に係る画像形成装置の斜視図である。図１１は、そのスキャナ部及び排紙部を示す正面断面説明図である。これらの図において、上記第１の実施形態と共通の部材には同一の符号を付しその詳細な説明を省略する。
【００４５】
本実施形態では図１０、図１１に示すように、光透過手段としてスキャナ部３の底板３１に、原稿読み取り用光源３０２の露光走査方向に並んで略中央、左端（ホームポジション）、右端の３カ所に形成した開口３１Ａ、３１Ｂ，３１Ｃをそれぞれ光透過部材３１３Ａ，３１３Ｂ，３１３Ｃで覆った光透過部３０９Ａ，３０９Ｂ，３０９Ｃを設けている。この場合、これらの光透過部材３１３Ａ，３１３Ｂ，３１３Ｃとしては、透明若しくは半透明のプラスチック、ガラス等により形成されている。
【００４６】
このように構成された画像形成装置１００は、スキャナ部の底板３１に開口３１Ａ、３１Ｂ，３１Ｃを光透過部材３１１Ａ，３１１Ｂ，３１１Ｃで覆った光透過部３０９Ａ，３０９Ｂ，３０９Ｃを設けたので、いずれかの位置でスキャナ部３内に設けられている原稿読み取り用光源３０２を点灯すれば、該光源３０２からの光が光透過部３０９Ａ，３０９Ｂ，３０９Ｃを介して胴内排紙部４を照らし、該胴内排紙部４に排紙されたコピー動作やファクシミリの受信により記録された用紙を容易に視認することができる。かくして、原稿読み取り用光源３０２を利用して胴内排紙部４の視認性を向上することが可能である。
【００４７】
この場合、常に原稿読み取り用光源３０２を同じ位置（すなわち、略中央の光透過部３０９Ａの近傍、或いは左端の光透過部３０９Ｂ近傍又は右端の光透過部３０９Ｃ近傍）で点灯させるだけだと、ユーザは胴内排紙部４に排出された用紙Ｐのサイズを視認することは難しい。
【００４８】
そこで、本実施形態ではさらに、図１１に示すように、原稿読み取り用光源３０２を移動させることにより、用紙ＰがＡ４用紙の場合は原稿読み取り用光源３０２からの光が光透過部３０９Ａを介して胴内排紙部４を照らしたり、Ｂ４用紙の場合は光透過部３０９Ｂを介して胴内排紙部４を照らしたり、Ｂ５用紙の場合は光透過部３０９Ｃを介して胴内排紙部４を照らしたりすることにより、用紙サイズによって胴内排紙部４を照らす位置を変更する。このようにすれば、コピー時或いはファクシミリ受信時に、ユーザに排出された用紙のサイズを示すこともできるようになり、使い勝手がよくなる。
【００４９】
なお、画像形成装置１００をネットワークプリンタとして使用する場合は、ネットワーク上のパーソナルコンピュータごとにジョブ終了時に胴内排紙部４を照らす位置を変更する。このようにすれば、プリント時に、ユーザにプリント指令を発したパーソナルコンピュータを特定させることもできるようになり、使い勝手がよくなる。
【００５０】
【発明の効果】
以上説明したように本発明によると、原稿読み取り用光源によって胴内排紙部を照らし、コピー動作、ファクシミリの受信、或いはプリント動作により該胴内排紙部に排紙された用紙を容易に視認することができるとともに、ユーザに用紙に関する排出情報（例えば、用紙サイズ、プリント指令を発したパーソナルコンピュータ、プリントジョブの進捗状況など）を提供することができるようになり、使い勝手の良い画像形成装置を提供することができる。
【図面の簡単な説明】
【図１】本発明の第１の実施形態に係る画像形成装置の示す正面図である。
【図２】上記画像形成装置のスキャナ部の内部を示す斜視図である。
【図３】上記画像形成装置の排紙部を示す側面断面説明図である。
【図４】上記画像形成装置のスキャナ部及び排紙部を示す正面断面説明図である。
【図５】光源が点灯している状態を示す正面説明図である。
【図６】光源がホームポジションにある状態を示す正面説明図である。
【図７】画像形成装置をＬＡＮ接続してネットワークプリンタとして使用する場合の概念的なブロック図である。
【図８】本発明の第２の実施形態に係る画像形成装置のスキャナ部の内部を示す斜視図である。
【図９】上記画像形成装置のスキャナ部及び排紙部を示す正面断面説明図である。
【図１０】本発明の第３の実施形態に係る画像形成装置のスキャナ部の内部を示す斜視図である。
【図１１】上記画像形成装置のスキャナ部及び排紙部を示す正面断面説明図である。
【符号の説明】
１  作像部
２  スキャナ部（原稿読み取り部）
４  胴内排紙部
３１Ａ  開口
１０１  装置本体
３０２  原稿読み取り用光源
３０４  第１キャリッジ
３０９，３０９Ａ，３０９Ｂ，３０９Ｃ  光透過部
３１０，３１１，３１３Ａ，３１３Ｂ，３１３Ｃ  光透過部材
３１１Ｒ，３１１Ｇ，３１１Ｂ  光透過片
【図１】
2005017786.tif 000003
【図２】
2005017786.tif 000004
【図３】
2005017786.tif 000005
【図４】
2005017786.tif 000006
【図５】
2005017786.tif 000007
【図６】
2005017786.tif 000008
【図７】
2005017786.tif 000009
【図８】
2005017786.tif 000010
【図９】
2005017786.tif 000011
【図１０】
2005017786.tif 000012
【図１１】
2005017786.tif 000013